(57)【要約】      （修正有）【課題】構造が単純で安価に製造でき、手間がかからず非常に短い時間で枕の高さを変えることができ、頭の下部の風通しを良く涼しいため、真夏でも涼しく快眠できる枕を提供する。【解決手段】枕１は、中央部に貫通孔３１を備える本体枕３と、一端の両端部に突出部５１を有する一対の補助枕５ａ、５ｂと、一対の補助枕５ａ、５ｂの突出部５１を向かい合うように連結し且つ補助枕相互の間隔を変えることができる連結手段７と、を備える。連結手段７にて連結された補助枕５ａ、５ｂは本体枕３の下部に備える。連結手段７にて連結された補助枕５ａ、５ｂは、突出部５１が本体枕３の下部になるように本体枕３の両側に、それぞれ備える。本体枕３と補助枕５ａ、５ｂとの間には、上下方向に空気の流れる空間５３を備える。【選択図】図２
0003227259.tif 000002
【実用新案登録請求の範囲】
【請求項１】
中央部に貫通孔を備える本体枕と、一端の両端部に突出部を有する一対の補助枕と、前記一対の補助枕の突出部を向かい合うように連結する連結手段と、を備え、
前記連結手段は前記補助枕相互の間隔を変えることができ、
前記連結手段にて連結された前記補助枕は、前記突出部が前記本体枕の下部になるように前記本体枕の両側に、それぞれ備え、
前記本体枕と前記補助枕との間には、上下方向に空気の流れる空間を備える枕。
【請求項２】
前記補助枕は、空気を充てんし膨張させて用いるシート材料からなる空気枕であって、
充填する空気の量を任意に調節できる請求項１に記載の枕。
【請求項３】
前記本体枕と前記補助枕とが分離することを防止するための分離防止手段を備える請求項１又は請求項２に記載の枕。
【考案の詳細な説明】
【技術分野】
【０００１】
本考案は、高さを自在に変えることができ、頭の下部の風通しが良く涼しい枕に関する。
【背景技術】
【０００２】
市販されている高さを変えられる枕は、枕に充填されている微小パイプなどの量や位置を調整する必要があり、手間がかかるという問題点がある。
【０００３】
そのため、例えば、特許文献１には、長方形の本体カバーと、本体カバーの片面に形成され、ユニットを収納可能な複数の袋部と、複数の袋部のそれぞれに収納される、それぞれ異なる素材をユニットカバーで覆った複数のユニットを備え、折り畳むことにより、高さ、硬さ、感触を変えることが可能な枕が開示されている。しかしながら、特許文献１の枕は、快適な高さや涼しさを得るために複数のユニットを用意したり、袋部に収納したりしなくてはならず、手間と費用がかかるという問題がある。
【先行技術文献】
【特許文献】
【０００４】
【特許文献１】特開２０１８−１５７８６６号
【考案の概要】
【考案が解決しようとする課題】
【０００５】
本考案は、構造が単純で安価に製造でき、手間がかからず非常に短い時間で枕の高さを変えることでき、頭の下部の風通しを良く涼しいため、真夏でも涼しく快眠できる枕を提供する。
【課題を解決するための手段】
【０００６】
上記課題を解決する本考案は次の内容のものである。
【０００７】
中央部に貫通孔を備える本体枕と、一端の両端部に突出部を有する一対の補助枕と、前記一対の補助枕の突出部を向かい合うように連結する連結手段と、を備え、
前記連結手段は前記補助枕相互の間隔を変えることができ、
前記連結手段にて連結された前記補助枕は、前記突出部が前記本体枕の下部になるように前記本体枕の両側に、それぞれ備え、
前記本体枕と前記補助枕との間には、上下方向に空気の流れる空間を備える。
【０００８】
前記補助枕は、空気を充てんし膨張させて用いるシート材料からなる空気枕であって、充填する空気の量を任意に調節できる。
【０００９】
前記本体枕と前記補助枕とが分離することを防止するための分離防止手段を備える。
【考案の効果】
【００１０】
本考案の枕は、構造が単純で安価に製造でき、手間がかからず非常に短い時間で、枕の高さを好みの高さに変えることでき、頭の下部の風通しが良く涼しいため、真夏でも快眠できる。
【図面の簡単な説明】
【００１１】
【図１】本考案の枕の一例を示す平面図である。
【図２】本考案の枕の一例を示す底面図である。
【図３】本考案の枕の一例を示す正面図である。
【図４】本考案の枕の高さを高くする場合の一例を示す正面図である。
【図５】本考案の枕のＡ−Ａ断面図である。
【図６】本考案の枕の高さが低い場合の一例を示す使用状態参考図である。
【図７】本考案の枕の高さが高い場合の一例を示す使用状態参考図である。
【考案を実施するための形態】
【００１２】
以下、本考案の実施の形態の例について図を参照しながら説明する。尚、本考案は、以下の形態の例に限定されるものではない。
【００１３】
本考案の枕１は、中央部に貫通孔３１を備える本体枕３と、一端の両端部に突出部５１を有する一対の補助枕５ａ、５ｂと、前記一対の補助枕５ａ、５ｂの突出部５１を向かい合うように連結する連結手段７と、を備える。連結手段７は補助枕相互の間隔を変えることができ。連結手段７にて連結された補助枕５ａ、５ｂは、突出部５１が本体枕３の下部になるように本体枕３の両側に、それぞれ備える。本体枕３と前記補助枕５ａ、５ｂとの間には、上下方向に空気の流れる空間５３を備える。本体枕３、補助枕５ａ、ｂ、突出部５１の大きさや高さには特に限定はなく、枕１を使用した際に頭の下部や側部に空気の流れが損なわれないようにするのが好ましい。本体枕３、補助枕５ａ、５ｂの高さは、一例として、５０ｍｍ〜１５０ｍｍとする（図１、２、３、５）。
【００１４】
連結手段７は、補助枕相互の間隔９(補助枕５ａと５ｂとの間隔)を変えることができるものであれば、どのような手段を用いてもよい。一例として、連結手段７には、面ファスナー７１を用いる。補助枕５ａ、ｂの突出部５１の上面に面ファスナーのループ７５を取り付け、帯状のフック７３を向かい合う突出部に取り付けたループ７５に取り付けて連結する。ループ７５に取り付けるフック７３の位置を変えることにより、補助枕相互の間隔９(補助枕５ａと５ｂとの間隔)を簡単に調整することができる。フック７３の両端部をループ７５に取り付けると間隔９が広くなり、フック７３の中間部をループ７５に取り付けると間隔９が狭くなる（図２、３、４）。お
【００１５】
一例として、補助枕５ａ、５ｂは、空気を充てんし膨張させて用いるシート材料からなる空気枕であって、充填する空気の量を任意に調節できるようにする。一例として、空気を吹き込んで膨らます市販のネックピローなどを用いるものとする。
【００１６】
本体枕３と補助枕５ａ、５ｂとが分離することを防止するための分離防止手段１１を備えさせてもよい。一例として、本体枕３の下面にベルト１３の両端を固定し、ベルト１３と本体枕３との間に連結手段７を通すなどする。分離防止手段１１を設けることにより、枕１を移動させる際に、本体枕１を持つだけで補助枕５ａ、５ｂも一緒に移動できる（図２）。
【００１７】
本考案の枕１は、本体枕３に頭を置いて使用する。補助枕相互の間隔９を広くすることにより、本体枕３は下方に沈み、補助枕５ａ、５ｂの端部は上方にハネ上がり、枕１の高さは低くなる(図６)。補助枕相互の間隔９を狭くすることにより、本体枕３は下方に沈まず、枕１の高さは高くなる(図７)。
【００１８】
連結手段７には、面ファスナー７１を用いる場合、帯状のフック７３をループ７５に取り付ける位置を変えるだけで、補助枕相互の間隔が調節できるので、簡単に短時間で枕の高さを変えることが可能となる。更に、補助枕の空気量を加減することより、枕の高さを変化させることができる。
【００１９】
本体枕３の下部には、補助枕５ａ、５ｂが備えられているため、本体枕３と下面とベッド又は敷布団等との間に間隙が備わる。そのため、体枕３のみの場合より、本体枕３に補助枕５ａ、５ｂを備える場合の方が、本体枕３の中央部の貫通孔３１を通る空気の流れ１５は多くなり、頭の下部の風通しが良く涼しさを感じることができる。補助枕５ａ、５ｂには、突出部５１の間に空間５３が備わるため、この空間５３からを通る空気の流れ１５も生じるので、頭のサイドの風通しも良く、涼しさを感じることが出来る(図１)。また、本体枕の材質を冷感素材やメッシュ地などを使うことにより、更に涼しい使用感となる。
【符号の説明】
【００２０】
１  枕
３  本体枕
３１  貫通孔
５ａ、ｂ  補助枕
５１  突出部
５３  空間
７  連結手段
７１  面ファスナー
７３  フック
７５  ループ
９  間隔
１１  分離防止手段
１３ベルト
１５  空気の流れ
【図１】
0003227259.tif 000003
【図２】
0003227259.tif 000004
【図３】
0003227259.tif 000005
【図４】
0003227259.tif 000006
【図５】
0003227259.tif 000007
【図６】
0003227259.tif 000008
【図７】
0003227259.tif 000009